(57)【要約】【課題】フォルダ単位で記憶される情報を管理するための操作を簡易化する。【解決手段】情報をフォルダ単位で記憶する情報記憶部１２１から、フォルダごとに情報を取得する情報取得部１０４と、表示部１１１上で情報の内容を特定可能な特定情報を表示する領域であって、フォルダそれぞれに対応して定められた表示領域それぞれに、表示領域に対応するフォルダから取得された情報の特定情報を表示する表示制御部１０１と、を備える。【選択図】図１
2010262585.tif 000002
【特許請求の範囲】
【請求項１】
情報をフォルダ単位で記憶する情報記憶部から、前記フォルダごとに前記情報を取得する情報取得部と、
表示部上で前記情報の内容を特定可能な特定情報を表示する領域であって、前記フォルダそれぞれに対応して定められた表示領域それぞれに、前記表示領域に対応する前記フォルダから取得された前記情報の前記特定情報を表示する表示制御部と、
を備えることを特徴とする表示処理装置。
【請求項２】
前記表示制御部は、前記表示領域をスクロール可能に表示すること、
を特徴とする請求項１に記載の表示処理装置。
【請求項３】
複数の前記表示領域のうちいずれかの前記表示領域の選択を受付ける受付部をさらに備え、
前記表示制御部は、選択された前記表示領域の表示位置を固定し、選択された前記表示領域以外の前記表示領域をスクロール可能に表示すること、
を特徴とする請求項２に記載の表示処理装置。
【請求項４】
前記情報を記憶する記憶媒体を挿脱可能な挿脱部をさらに備え、
前記情報取得部は、さらに、前記挿脱部に挿入された前記記憶媒体に記憶された前記情報を取得し、
前記表示制御部は、前記記憶媒体に対応して定められた前記表示領域の表示位置を固定し、選択された前記表示領域以外の前記表示領域をスクロール可能に表示すること、
を特徴とする請求項２に記載の表示処理装置。
【請求項５】
前記情報の移動元の前記フォルダと前記情報の移動先の前記フォルダとを対応づけて、または、前記情報のコピー元の前記フォルダと前記情報のコピー先の前記フォルダとを対応づけて記憶する履歴記憶部と、
表示位置が固定された前記表示領域に表示された前記特定情報の選択を受付ける受付部と、をさらに備え、
前記情報取得部は、さらに、選択が受付けられた前記特定情報に対応する前記情報の移動元の前記フォルダ、前記情報の移動先の前記フォルダ、前記情報のコピー元の前記フォルダ、または、前記情報のコピー先の前記フォルダを前記履歴記憶部から読み出し、
前記表示制御部は、さらに、読み出された前記フォルダの前記表示領域を表示すること、
を特徴とする請求項３または４に記載の表示処理装置。
【請求項６】
情報取得部が、情報をフォルダ単位で記憶する情報記憶部から、前記フォルダごとに前記情報を取得する情報取得ステップと、
表示制御部が、表示部上で前記情報の内容を特定可能な特定情報を表示する領域であって、前記フォルダそれぞれに対応して定められた表示領域それぞれに、前記表示領域に対応する前記フォルダから取得された前記情報の前記特定情報を表示する表示制御ステップと、
を備えることを特徴とする表示処理方法。
【請求項７】
コンピュータを、
情報をフォルダ単位で記憶する情報記憶部から、前記フォルダごとに前記情報を取得する情報取得部と、
表示部上で前記情報の内容を特定可能な特定情報を表示する領域であって、前記フォルダそれぞれに対応して定められた表示領域それぞれに、前記表示領域に対応する前記フォルダから取得された前記情報の前記特定情報を表示する表示制御部
として機能させるための表示処理プログラム。
【発明の詳細な説明】
【技術分野】
【０００１】
本発明は、表示処理装置、表示処理方法および表示処理プログラムに関する。
【背景技術】
【０００２】
ＰＣ（Ｐｅｒｓｏｎａｌ  Ｃｏｍｐｕｔｅｒ）やデジタルカメラ、携帯電話機等の情報機器の普及に伴い、文書や画像などの情報は電子化された状態で取り扱われることが多くなっている（以下、電子化された文書や画像等の情報を「ファイル」という場合がある）。これら各ファイルは情報機器により管理されており、ユーザはこの情報機器を操作することで、所望のファイルの検索や閲覧等の操作を行うことが可能となっている。
【０００３】
例えば、ＰＣ等のＯＳ（Ｏｐｅｒａｔｉｎｇ  Ｓｙｓｔｅｍ）として用いられるＷｉｎｄｏｗｓ（登録商標）では、各ファイルをフォルダ間の階層関係からなるツリー構造で管理している。そのため、このツリー構造をトップダウン又はボトムアップ的に辿ることで、所望のファイルを検索することが一般に行われている。
【０００４】
また、特許文献１では、ユーザにより選択されたフォルダアイコンに対応するフォルダに格納されたファイルに関する情報を、ファイル情報表示空間に表示する技術が提案されている。
【発明の概要】
【発明が解決しようとする課題】
【０００５】
しかしながら、特許文献１などの従来技術では、あるフォルダが選択された場合、選択されたフォルダに格納されたファイルに関する情報のみが、所定の表示領域（特許文献１ではファイル情報表示空間）に表示される。このため、あるフォルダから他のフォルダにファイルを移動またはコピーするといったファイル管理のための操作が煩雑になる場合があった。
【０００６】
例えば、あるフォルダに格納されたファイルを他のフォルダに移動する場合、ユーザは、移動元のフォルダから検索したファイルに対して移動することを指定した後、移動先のフォルダを探し、当該移動先のフォルダにファイルを移動することを指定するといった操作が必要になる。このような操作方法では、移動元フォルダおよび移動先フォルダを見比べ、各フォルダの格納内容を確認しながらファイルを移動することができない。
【０００７】
このような問題を回避するため、ユーザは、例えばファイルを管理するためのアプリケーションを複数起動し、各アプリケーションで、それぞれファイル移動元のフォルダおよび移動先のフォルダを表示し、両者を見比べながらファイルを移動するといった操作を行う必要があった。
【０００８】
本発明は、上記に鑑みてなされたものであって、フォルダ単位で記憶される情報を管理するための操作を簡易化することができる表示処理装置、表示処理方法および表示処理プログラムを提供することを目的とする。
【課題を解決するための手段】
【０００９】
上述した課題を解決し、目的を達成するために、本発明は、情報をフォルダ単位で記憶する情報記憶部から、前記フォルダごとに前記情報を取得する情報取得部と、表示部上で前記情報の内容を特定可能な特定情報を表示する領域であって、前記フォルダそれぞれに対応して定められた表示領域それぞれに、前記表示領域に対応する前記フォルダから取得された前記情報の前記特定情報を表示する表示制御部と、を備えることを特徴とする。
【００１０】
また、本発明は、情報取得部が、情報をフォルダ単位で記憶する情報記憶部から、前記フォルダごとに前記情報を取得する情報取得ステップと、表示制御部が、表示部上で前記情報の内容を特定可能な特定情報を表示する領域であって、前記フォルダそれぞれに対応して定められた表示領域それぞれに、前記表示領域に対応する前記フォルダから取得された前記情報の前記特定情報を表示する表示制御ステップと、を備えることを特徴とする。
【００１１】
また、本発明は、コンピュータを、情報をフォルダ単位で記憶する情報記憶部から、前記フォルダごとに前記情報を取得する情報取得部と、表示部上で前記情報の内容を特定可能な特定情報を表示する領域であって、前記フォルダそれぞれに対応して定められた表示領域それぞれに、前記表示領域に対応する前記フォルダから取得された前記情報の前記特定情報を表示する表示制御部として機能させるための表示処理プログラムである。
【発明の効果】
【００１２】
本発明によれば、フォルダごとに定められる表示領域それぞれに、各フォルダ内に記憶された情報を特定する特定情報を表示するため、フォルダ単位で記憶される情報を管理するための操作を簡易化することができるという効果を奏する。
【図面の簡単な説明】
【００１３】
【図１】図１は、本実施の形態にかかる表示処理装置の構成を示すブロック図である。
【図２】図２は、履歴記憶部に記憶されるデータのデータ構造の一例を示す図である。
【図３】図３は、本実施の形態における表示処理の全体の流れを示すフローチャートである。
【図４】図４は、表示画面の一例を示す図である。
【図５】図５は、選択された表示領域を固定表示した表示画面の一例を示す図である。
【図６】図６は、表示画面の一例を示す図である。
【図７】図７は、本実施の形態にかかる表示処理装置のハードウェア構成図である。
【図８】図８は、変形例にかかる表示処理装置の構成を示すブロック図である。
【発明を実施するための形態】
【００１４】
以下に添付図面を参照して、この発明にかかる表示処理装置、表示処理方法および表示処理プログラムの最良な実施の形態を詳細に説明する。本実施の形態の表示処理装置は、例えば文書や画像を表示する表示デバイスを備えた通常のコンピュータ、携帯端末、デジタルカメラ、複写機等の画像形成装置などに適用できる。なお、適用可能な装置はこれらに限られるものではない。
【００１５】
図１は、本実施の形態にかかる表示処理装置１００の構成を示すブロック図である。図１に示すように、本実施の形態の表示処理装置１００は、主なハードウェア構成として、表示部１１１と、操作部１１２と、アダプタ部１１３と、情報記憶部１２１と、履歴記憶部１２２と、を備えている。また、表示処理装置１００は、主なソフトウェア構成として、表示制御部１０１と、入力受付部１０２と、アダプタ制御部１０３と、情報取得部１０４と、情報管理部１０５と、を備えている。
【００１６】
情報記憶部１２１は、文書や画像などの情報（ファイル）を、フォルダまたはディレクトリなどの所定の管理単位で記憶する。例えば、情報記憶部１２１は、上述のＷｉｎｄｏｗｓ（登録商標）のように階層構造（ツリー構造）で管理されたフォルダごとにファイルを記憶する。なお、ファイルの管理方法は階層構造で管理する方法に限られず、フォルダ等の管理単位でファイルを管理する方法であればあらゆる方法を適用できる。
【００１７】
履歴記憶部１２２は、フォルダ間でのファイルの管理操作に関する履歴を記憶する。図２は、履歴記憶部１２２に記憶されるデータのデータ構造の一例を示す図である。図２に示すように、履歴記憶部１２２は、ソースフィールドと、デスティネーションフィールドと、種別フィールドとを対応づけた履歴情報を記憶する。
【００１８】
ソースフィールドは、移動元ファイルまたはコピー元ファイルを識別する情報（例えばファイル名）が設定される。ソースフィールドに移動元ファイルまたはコピー元ファイルを記憶していたフォルダを識別する情報（例えばフォルダ名）を記憶するように構成してもよい。
【００１９】
デスティネーションフィールドは、移動先ファイルまたはコピー先ファイルを識別する情報（例えばファイル名）が設定される。デスティネーションフィールドに移動先ファイルまたはコピー先ファイルのフォルダを識別する情報（例えばフォルダ名）を記憶するように構成してもよい。
【００２０】
種別フィールドは、移動またはコピーなどのファイル管理操作の種類が設定される。図２では、ファイルを移動したことを表す「移動」およびファイルをコピーしたことを表す「コピー」が設定された例が示されている。
【００２１】
なお、情報記憶部１２１および履歴記憶部１２２は、ＨＤＤ（Ｈａｒｄ  Ｄｉｓｋ  Ｄｒｉｖｅ）、光ディスク、メモリカード、ＲＡＭ（Ｒａｎｄｏｍ  Ａｃｃｅｓｓ  Ｍｅｍｏｒｙ）などの一般的に利用されているあらゆる記憶媒体により構成することができる。
【００２２】
図１に戻り、表示部１１１は、表示処理装置１００による情報処理に関する各種画面等を表示する。表示部１１１は、例えば液晶ディスプレイなどの表示デバイスにより構成できる。
【００２３】
操作部１１２は、表示処理装置１００に対する各種操作および情報の入力を受付けるユーザインターフェースである。操作部１１２は、例えば、キーボードやマウスによって構成できる。なお、表示部１１１としての液晶ディスプレイ上に、操作部１１２としてのタッチパネルを重ね合わせた液晶タッチパネルおよびキースイッチなどにより、表示部１１１および操作部１１２を一体化するように構成してもよい。
【００２４】
アダプタ部１１３は、ＵＳＢ（Universal Serial Bus）メモリ、ＳＤ（Secure Digital）カードなどの補助記憶装置（記憶媒体）を挿脱するための挿脱部として機能するインターフェースである。
【００２５】
表示制御部１０１は、表示部１１１への各種画面の表示制御を行う。例えば、表示制御部１０１は、各フォルダに対応して定められる表示領域それぞれに、各フォルダに記憶されているファイルの内容を特定可能な特定情報を表示する。例えば文書または画像の縮小画像であるサムネイル画像を特定情報として用いることができる。なお、特定情報はこれに限られるものではなく、情報（ファイル）の内容を特定可能な情報であればあらゆる情報を適用できる。例えば、ファイルを識別可能なファイル名等の識別情報を特定情報として利用してもよい。
【００２６】
入力受付部１０２は、操作部１１２からのキー入力イベントの受付け等の入力制御を行う。例えば、入力受付部１０２は、表示部１１１に表示された各フォルダの表示領域のうち、ユーザが選択した表示領域を受付ける。
【００２７】
アダプタ制御部１０３は、アダプタ部１１３に挿入されたＵＳＢメモリまたはＳＤカードなどの記憶媒体に対するアクセスを制御する。
【００２８】
情報取得部１０４は、情報記憶部１２１および履歴記憶部１２２から情報を取得する。例えば、情報取得部１０４は、情報記憶部１２１からフォルダ単位で情報を取得する。
【００２９】
情報管理部１０５は、情報記憶部１２１および履歴記憶部１２２に対する情報のアクセスを制御する。例えば、情報管理部１０５は、あるフォルダ（移動元フォルダ）から他のフォルダ（移動先フォルダ）へのファイルの移動が指定された場合に、指定されたファイルを移動元フォルダから移動先フォルダに移動する。
【００３０】
次に、このように構成された本実施の形態にかかる表示処理装置１００による表示処理について説明する。図３は、本実施の形態における表示処理の全体の流れを示すフローチャートである。
【００３１】
まず、情報取得部１０４が、情報記憶部１２１から、フォルダごとにフォルダ内に記憶されている情報を読み出す（ステップＳ３０１）。次に、表示制御部１０１が、読み出した情報のサムネイル画像をフォルダごとの表示領域に表示する（ステップＳ３０２）。
【００３２】
図４は、このときに表示される表示画面の一例を示す図である。図４に示すように、表示画面４１０は、フォルダそれぞれに対応する並列にレイアウトされた複数の表示領域４０１〜４０４を含んでいる。そして、各表示領域４０１〜４０４には、対応するフォルダ内に記憶されている情報（ファイル）の内容を特定する特定情報としてサムネイル画像が表示されている。なお、上述のようにファイル名等を特定情報としてサムネイル画像の代わりに表示してもよい。
【００３３】
また、表示部１１１上にすべてのフォルダに対応する表示領域を表示できない場合、表示制御部１０１は、表示部１１１に表示しうる個数の表示領域のみを表示する。図４では、表示できない表示領域である領域４０５および４０６を模式的に示している。そして、表示制御部１０１は、表示領域をスクロールすることにより任意の表示領域を表示部１１１上に可視化できるように表示する。図４では、表示領域を左右方向にスクロール可能に表示する例が示されている。上記領域４０５および４０６は、それぞれ右および左方向にスクロールすることにより表示画面上に可視化することができる。なお、フォルダを並べる方向およびスクロールの方向は横方向に限られるものではない。
【００３４】
このように、本実施の形態では、ユーザにより選択されたフォルダに記憶された情報の特定情報のみでなく、任意のフォルダに記憶された情報の特定情報を並列に表示する。これにより、ユーザは、移動（コピー）先フォルダおよび移動（コピー）元フォルダの格納内容を見比べながら所望の操作を行うことができる。また、表示されていないフォルダ内のファイルが必要になった場合は、スクロール操作によって当該ファイルを探すことが可能となる。このように、本実施の形態によれば、フォルダ単位で記憶される情報を管理するための操作を簡易化することができる。
【００３５】
なお、フォルダが階層構造で管理される場合、各フォルダの上位階層または下位階層のフォルダに遷移するためのボタン等を、各フォルダに対応づけて表示し、当該ボタン等が指定された場合に対応するフォルダに遷移するように構成してもよい。また、各フォルダに対応する表示領域内にすべてのサムネイル画像を表示できない場合は、当該表示領域内でサムネイル画像をスクロール可能に表示してもよい。
【００３６】
図３に戻り、表示制御部１０１が、フォルダが選択されたか否かを判断する（ステップＳ３０３）。具体的には、表示制御部１０１は、入力受付部１０２によっていずれかの表示領域の選択が受付けられたか否かを判断する。受付けられていない場合（ステップＳ３０３：Ｎｏ）、受付けるまで処理を繰り返す。
【００３７】
フォルダ（表示領域）が選択された場合（ステップＳ３０３：Ｙｅｓ）、表示制御部１０１は、選択されたフォルダの表示領域を表示画面内に固定表示する（ステップＳ３０４）。表示領域を固定表示するとは、スクロールの操作が指定された場合であっても当該表示領域をスクロールせずに所定の表示位置に表示することをいう。所定の表示位置は、例えば選択されたときの位置としてもよいし、表示画面の右端または左端などのように事前に定められた表示位置としてもよい。
【００３８】
図５は、選択された表示領域を固定表示した表示画面の一例を示す図である。図５は、表示領域５０１が選択され、表示画面の右端に固定表示された例が示されている。なお、所定の操作（所定のボタン押下等）により表示領域の選択を解除し、別の表示領域をさらに選択できるように構成してもよい。また、複数の表示領域を固定表示できるように構成してもよい。
【００３９】
図３に戻り、移動またはコピーなどのファイル管理操作を行う場合の処理について説明する（ステップＳ３０５〜ステップＳ３０７）。
【００４０】
まず、入力受付部１０２が、表示領域のいずれかに表示されたサムネイル画像のうち、移動またはコピーするファイル（移動元ファイルまたはコピー元ファイル）のサムネイル画像の選択と、移動先（コピー先）フォルダの選択とを受付ける（ステップＳ３０５）。そして、情報管理部１０５が、指定された移動先（コピー先）に、選択されたファイルを移動（コピー）する（ステップＳ３０６）。
【００４１】
例えば、ユーザは、まず移動先フォルダの表示領域を選択して固定表示させ、他のフォルダの表示領域をスクロールさせることにより、移動元ファイルを記憶している所望のフォルダ（移動元フォルダ）を表示させる。そして、例えば移動元フォルダから固定表示させた移動先フォルダに対して、移動元ファイルをドラッグアンドドロップすることにより、当該移動元ファイルを移動させる。
【００４２】
なお、移動元ファイルまたはコピー元ファイルを、固定表示された表示領域から選択することも可能である。すなわち、例えば固定表示させた移動元フォルダからスクロールにより表示させた移動先フォルダに対して、移動元ファイルをドラッグアンドドロップすることにより、当該移動元ファイルを移動させることができる。
【００４３】
同様に、スクロール可能な表示領域間、または、固定表示された表示領域間でファイルを移動またはコピーすることができる。また、同一表示領域内でファイルをコピー可能としてもよい。
【００４４】
次に、情報管理部１０５は、移動またはコピーの履歴を表す図２のような履歴情報を作成し、作成した履歴情報を履歴記憶部１２２に保存する（ステップＳ３０７）。
【００４５】
次に、移動またはコピー後のファイルの選択を受付けて表示を更新する処理について説明する（ステップＳ３０８〜ステップＳ３１０）。
【００４６】
まず、表示制御部１０１が、入力受付部１０２によって、表示領域のいずれかに表示されたサムネイル画像のうち、移動またはコピーしたファイル（移動先ファイルまたはコピー先ファイル）のサムネイル画像の選択が受付けられたか否かを判断する（ステップＳ３０８）。
【００４７】
選択が受付けられていない場合は（ステップＳ３０８：Ｎｏ）表示処理を終了する。なお、説明の便宜上、表示処理を終了するものとしたが、フォルダごとの表示領域およびサムネイル画像の表示が終了するのではなく、例えばステップＳ３０３、ステップＳ３０５、または、ステップＳ３０８などのフォルダやファイルの選択処理に戻って処理を繰り返すように構成することができる。
【００４８】
移動先ファイルまたはコピー先ファイルのサムネイル画像の選択が受付けられた場合（ステップＳ３０８：Ｙｅｓ）、情報取得部１０４が、受付けたサムネイル画像に対応するファイルに対応する移動元またはコピー元のフォルダを履歴記憶部１２２の履歴情報から取得する（ステップＳ３０９）。具体的には、情報取得部１０４は、受付けたサムネイル画像に対応するファイルと一致する「デスティネーション」に対応づけられた「ソース」の設定値を読み出す。そして、読み出した設定値から、移動元またはコピー元のフォルダを取得する。
【００４９】
次に、表示制御部１０１は、取得されたフォルダをスクロールすることにより表示画面に表示する（ステップＳ３１０）。なお、取得されたフォルダが既に表示されている場合は本ステップを省略してもよい。また、表示制御部１０１が、移動元またはコピー元のファイルと、移動先またはコピー先のファイルとを、両者が対応することを表す表示態様で表示するように構成してもよい。
【００５０】
上述の図５では、サムネイル画像５０２が選択されたときに、対応するサムネイル画像５０３の枠線を点線で表示することにより、両者が関連することが示されている。なお、表示態様は点線に限られるものではない。例えば、両者を関連づける線を表示するように構成してもよい。また、ファイル操作の種別（移動かコピーか）に応じて表示態様を変えるように構成してもよい。
【００５１】
また、上記ステップＳ３０８〜ステップＳ３１０では、移動先ファイルまたはコピー先ファイルが選択された場合に、移動元またはコピー元のフォルダを表示する場合を例に説明したが、同様の手順により、コピー元ファイルが選択された場合にコピー先のフォルダを表示することができる。
【００５２】
このように、本実施の形態では、ファイルの移動またはコピー等の履歴情報を管理することにより、あるファイルが選択されたときに、ユーザが操作することなく、選択されたファイルに関連するファイルを記憶したフォルダを表示することができる。
【００５３】
これまでは、情報記憶部１２１に記憶されたファイルを表示する場合を例に説明したが、アダプタ部１１３に接続されたＵＳＢメモリまたはＳＤカードなどの記憶媒体に記憶されたファイルも、同様の方法により表示画面に表示することができる。
【００５４】
この場合、例えば記憶媒体ごとに１つの表示領域を割り当て、他の表示領域と並列に表示する。図４の表示領域４０４は、このようにしてＳＤカードである記憶媒体に対して割り当てられた表示領域を表している。記憶媒体内でフォルダ単位でファイルが記憶されている場合は、このフォルダごとに１つの表示領域を割り当てるように構成してもよい。
【００５５】
また、記憶媒体がアダプタ部１１３に接続された場合に、表示制御部１０１が、この記憶媒体に対応する表示領域を固定表示するように構成してもよい。図６は、このように構成した場合に表示される表示画面の一例を示す図である。図６では、ＳＤカードである記憶媒体がアダプタ部１１３に接続されたときに、このＳＤカードに対応する表示領域である表示領域４０４を固定表示した例が示されている。
【００５６】
次に、本実施の形態にかかる表示処理装置１００のハードウェアについて説明する。図７は、本実施の形態にかかる表示処理装置１００のハードウェア構成図である。図７に示したように、表示処理装置１００は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ１３と、外部装置と通信するための通信Ｉ／Ｆ１４と、上記情報記憶部１２１および履歴記憶部１２２を構成可能なＨＤＤ１５と、表示部１１１と、操作部１１２と、アダプタ部１１３と、これら各部を接続するバス１９と、を備えており、通常のコンピュータを利用したハードウェア構成となっている。
【００５７】
ＲＯＭ１２およびＨＤＤ１５には、表示処理装置１００の制御にかかる各種プログラムや各種データが記憶される。ＣＰＵ１１は、ＲＯＭ１２およびＨＤＤ１５に記憶された各種プログラムをＲＡＭ１３にロードしこれを実行することにより、表示処理装置１００全体を制御し、上述の各機能部（表示制御部、入力受付部、アダプタ制御部、情報取得部、情報管理部）を実現させる。
【００５８】
本実施の形態の表示処理装置１００で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５９】
また、本実施の形態の表示処理装置１００で実行される表示処理プログラムを、インターネット等のネットワークに接続されたコンピュータ上に格納し、ネットワーク経由でダウンロードさせることにより提供するように構成しても良い。また、本実施の形態の表示処理装置１００で実行される表示処理プログラムをインターネット等のネットワーク経由で提供または配布するように構成しても良い。
【００６０】
また、本実施の形態の表示処理プログラムを、ＲＯＭ１２等に予め組み込んで提供するように構成してもよい。
【００６１】
本実施の形態の表示処理装置１００で実行される表示処理プログラムは、上述した各機能部を含むモジュール構成となっており、実際のハードウェアとしてはＣＰＵ（プロセッサ）１１が上記記憶媒体から表示処理プログラムを読み出して実行することにより上記各機能部が主記憶装置上にロードされ、上記各機能部が主記憶装置上に生成されるようになっている。
【００６２】
（変形例）
上記実施の形態では、表示処理装置１００内に情報を記憶していた。これに対し、ネットワーク等により接続される外部装置に情報を記憶し、当該外部装置から情報を取得して表示処理装置に表示するように構成してもよい。図８は、このように構成した変形例にかかる表示処理装置２００の構成を示すブロック図である。
【００６３】
図８に示すように、本変形例の表示処理装置２００は、主なハードウェア構成として、表示部１１１と、操作部１１２と、アダプタ部１１３と、を備えている。また、表示処理装置２００は、主なソフトウェア構成として、表示制御部１０１と、入力受付部１０２と、アダプタ制御部１０３と、情報取得部１０４と、情報管理部１０５と、通信制御部２０６と、を備えている。
【００６４】
表示処理装置２００は、情報記憶部１２１および履歴記憶部１２２を備えず、通信制御部２０６が追加されている。また、表示処理装置２００は、例えばインターネットなどのネットワーク２０を介してファイルサーバ３０に接続されている。
【００６５】
ファイルサーバ３０は、情報記憶部１２１および履歴記憶部１２２を備えている。情報記憶部１２１および履歴記憶部１２２の構成は上記実施の形態と同様であるため説明を省略する。なお、ファイルサーバ３０に複数の表示処理装置２００が接続される場合は、各表示処理装置２００を識別する識別情報を対応づけた情報を情報記憶部１２１に記憶してもよい。ファイルサーバ３０は、表示処理装置２００からの要求に応じて、情報記憶部１２１および履歴記憶部１２２に記憶された情報の提供、更新等を行う。
【００６６】
通信制御部２０６は、ファイルサーバ３０等の外部装置との間で情報を送受信する処理を制御する。例えば、通信制御部２０６は、情報取得部１０４からの指示にしたがってファイルサーバ３０の情報記憶部１２１および履歴記憶部１２２から情報を受信する。
【００６７】
なお、本変形例では、通信制御部２０６およびネットワーク２０を介してファイルサーバ３０内の情報記憶部１２１および履歴記憶部１２２にアクセスする点が上記実施の形態と異なるが、表示処理の全体の流れは上述の図３と同様である。
【符号の説明】
【００６８】
１１  ＣＰＵ
１２  ＲＯＭ
１３  ＲＡＭ
１４  通信Ｉ／Ｆ
１５  ＨＤＤ
１９  バス
２０  ネットワーク
３０  ファイルサーバ
１００、２００  表示処理装置
１０１  表示制御部
１０２  入力受付部
１０３  アダプタ制御部
１０４  情報取得部
１０５  情報管理部
１１１  表示部
１１２  操作部
１１３  アダプタ部
１２１  情報記憶部
１２２  履歴記憶部
２０６  通信制御部
【先行技術文献】
【特許文献】
【００６９】
【特許文献１】特開２００８−１４６２７７号公報
【図１】
2010262585.tif 000003
【図２】
2010262585.tif 000004
【図３】
2010262585.tif 000005
【図４】
2010262585.tif 000006
【図５】
2010262585.tif 000007
【図６】
2010262585.tif 000008
【図７】
2010262585.tif 000009
【図８】
2010262585.tif 000010